(57)【要約】【課題】  強力に地盤に固定することができ、設置に際しコストがかからず、かつ、簡単に構築できる支持脚を提供する。【解決手段】  下端に基礎杭３を挿通するための開口部１２を有する筒状の脚体１０と、アンカー４を挿通するための挿通口２２を有する固定体２０と、を備え、前記固定体２０は前記脚体１０の下端に設けられていることを特徴とする、支持脚。【選択図】図２
0003192051.tif 000002
【実用新案登録請求の範囲】
【請求項１】
下端に基礎杭を挿通するための開口部を有する筒状の脚体と、アンカーを挿通するための挿通口を有する固定体と、を備え、前記固定体は前記脚体の下端に設けられていることを特徴とする、支持脚。
【請求項２】
前記固定体が前記脚体を周回するように設けられていることを特徴とする、請求項１に記載の支持脚。
【請求項３】
前記固定体が複数枚の板状部材からなり、前記板状部材は所定の間隔で設けられ、脚体の中心軸を鉛直線とする水平面に対して設定されたリード角を有することを特徴とする、請求項２に記載の支持脚。
【請求項４】
前記脚体に挿通した基礎杭と前記支持脚とを固定するための固定手段を備えることを特徴とする、請求項１〜３の何れか１項に記載の支持脚。
【請求項５】
請求項１〜４の何れか１項に記載の支持脚を２本以上備え、前記２以上の支持脚が梁部材によって互いに連結されていることを特徴とする構造物。
【考案の詳細な説明】
【技術分野】
【０００１】
本考案は、地盤に強力に固定可能な構造物の支持脚に関する。
【背景技術】
【０００２】
構造物を地上に設置する際には、該構造物を地盤に固定する必要がある。特に柱やポール等の支持脚を地面に固定してなる構造物は、風や振動によって倒れやすいため、より強固に地盤に固定する必要がある。この支持脚の基礎の作り方として、例えば特許文献１に示すように、構造物の基礎管の周囲にコンクリートを敷設し、または、土砂、砂利などを填圧して該基礎管を固定する方法が知られている。また、特許文献２に示されるように、地盤に穿った杭穴にセメントミルクを介して心棒を挿入し、さらに、心棒に架台の支持脚を沿わせてグラウトを注入することによって脚固定部を形成することが知られている。
【０００３】
ところで、近年、支柱を立てて営農を継続するタイプの太陽光発電設備（営農型発電設備）が、新たに技術開発されて実用段階となってきている。営農型発電設備を設置した場合、一つの農地上で農業と太陽光発電とを両立することができる。
そして、平成２５年４月１日、農林水産省は、「支柱を立てて営農を継続する太陽光発電設備等についての農地転用許可制度上の取扱いについて」と題する通知（平成２５年３月３１日付け）を公表した。本通知により、農地に支柱を立てて、営農を継続しながら上部空間に太陽光発電設備等の発電設備を設置する場合には、当該支柱について、農地法上の一時転用許可が必要になることが明らかにされた。
この一時転用許可の要件として、前記支柱が「簡易な構造で容易に撤去できる支柱」であることが求められている。
【先行技術文献】
【特許文献】
【０００４】
【特許文献１】特開２００７−２３１６４３号公報
【特許文献２】特開２０１３−５７２０４号公報
【考案の概要】
【考案が解決しようとする課題】
【０００５】
上述の方法はコンクリートを使用して支持脚を地面に固定する工程を含むため、作業が煩雑になる。特に特許文献２に記載の方法は軟弱な地盤において大規模な施設を建設する際に有用であるが、コストがかかり作業が煩雑である。
そして、構造物の性質や目的、設置する場所によっては上述のようなコストがかかり作業が煩雑な基礎工事をすることが望ましくない場合がある。例えば、わずかな面積の耕作放棄地等の遊休地を利用して小規模な太陽光発電を行う場合や営農型発電設備を設置する場合が挙げられる。小規模な太陽電池モジュールの支持架台の設置を上述の方法で行うと、コストがかさみ、必ずしも発電した電気の買収制度を利用した再生エネルギーの利用拡大につながらないものとなる。
【０００６】
本考案はこのような問題点に鑑みなされたもので、強力に地盤に固定することができ、設置に際しコストがかからず、かつ、簡単に構築できる支持脚を提供することを課題とする。また、本考案の解決しようとする課題は、地盤の固さなどに左右されず、構造物を設定された高さで構築することを可能にする支持脚を提供することにもある。
【０００７】
また、本考案の解決しようとする課題は、上述した営農型発電施設の支柱として利用できる「簡易な構造で容易に撤去できる支柱」であって、地盤の固さなどに左右されず、発電設備を設定された高さで構築することを可能にする支持脚を提供することにもある。
【課題を解決するための手段】
【０００８】
上記課題を解決する本考案は、下端に基礎杭を挿通するための開口部を有する筒状の脚体及び、前記脚体の下端に設けられた固定体を備え、前記固定体はアンカーを挿通するための挿通口を有することを特徴とする、支持脚である。
本考案の支持脚によれば、地盤の固さによって打ち込基礎杭の深さを自由に設定することができ、かつ、基礎杭の打ち込みの深さに構造物の高さが依存することが無い。
また、本考案の支持脚は固定体を有するため、強固に地盤に固定することが可能である。
【０００９】
また、本考案の好ましい形態では、前記固定体が前記脚体を周回するように設けられている。
かかる形態の本考案によれば、固定体による支持脚をより強固に地盤に固定することが可能になる。
【００１０】
本考案のより好ましい形態では、前記固定体が複数枚の板状部材からなり、前記板状部材は所定の間隔で設けられ、脚体の中心軸を鉛直線とする水平面に対して設定されたリード角を有することを特徴とする。
かかる形態の本考案によれば、鉛直方向上向きの力によって支持脚が地盤から抜けにくくなるため、支持脚をより強固に地盤に固定することができる。
【００１１】
本考案の好ましい形態では、前記脚体に挿通した基礎杭と前記支持脚を固定するための固定手段を備える。
かかる形態の本考案によれば、基礎杭から支持脚が外れることを防止することができる。
【００１２】
また、本考案は上記支持脚を２本以上備え、前記２以上の支持脚が梁部材によって互いに連結されていることを特徴とする構造物にも関する。
従来、複数本の支持脚を備え、それぞれの支持脚を地面に打ち込むことで設置する構造物が知られている。しかし、この従来の構造物は、支持脚を打ち込む深さに応じて構造物の高さが変化してしまう。つまり、軟弱な地盤においては支持脚を深く打ち込む必要があるため、構造物の高さは低くなってしまい、意図した高さとすることが困難である。また、それぞれの支持脚を打ち込む場所によって地盤の固さが異なる場合には、それぞれの支持脚を打ち込む深さが不ぞろいとなり、結果、構造物は斜めに傾いてしまう。
本考案の構造物によれば、地盤の固さによって基礎杭の深さを自由に設定することができるが、基礎杭の打ち込みの深さに構造物の高さが依存しない。そのため、どのような地盤の上に本考案の構造物を設置しようとも、該構造物の高さは設定された所定の高さとすることができる。
また、先に基礎杭を打ち込み、その上から脚体を被せてセットすることができるので、施工が容易で高精度に仕上げることが可能になる。
【考案の効果】
【００１３】
本考案によれば、強力に地盤に固定することができ、設置に際しコストがかからず、かつ、簡単に構築できる支持脚を提供することができる。また、地盤の固さ（基礎杭を打ち込む深さ）によって高さが変化しない支持脚及び構造物を提供することができる。
【００１４】
また、本考案によれば、営農型発電施設の支柱として利用できる「簡易な構造で容易に撤去できる支柱」であって、地盤の固さなどに左右されず、脚部の高さを自在に設定できる支持脚及び営農型発電施設における太陽光モジュールの架台を提供することができる。
本考案の支持脚は設置コストが低いため、設置にかかった費用を営農型発電施設によって発電した電気の買収制度を利用して容易に回収することが可能になる。つまり、本考案は再生エネルギーの利用拡大に寄与することができる。
【図面の簡単な説明】
【００１５】
【図１】実施例１の本発明の支持脚の下端の開口部へ基礎杭を挿通する様子を表す図である。
【図２】実施例１の本発明の支持脚を地面に固定した状態の断面図を表す図である。
【図３】実施例２の本発明の支持脚の下端の開口部へ基礎杭を挿通する様子を表す図である。
【図４】実施例２の本発明の支持脚を地面に固定した状態の断面図を表す図である。
【図５】実施例３の本発明の支持脚の下端を表す図である。
【図６】実施例４の本発明の架台を表す図である。
【考案を実施するための形態】
【００１６】
＜１＞本考案の支持脚
本考案は、下端に基礎杭を挿通するための開口部を有する筒状の脚体と、アンカーを挿通するための挿通口を有する固定体と、を備え、前記固定体は前記脚体の下端に設けられていることを特徴とする、支持脚である。
以下、本考案の支持脚の各構成について詳しく説明する。
【００１７】
（１）脚体
本考案の支持脚における脚体は、下端に基礎杭を挿通するための開口部を有する筒状の構造をとる。ここで、基礎杭とは構造物を地盤に固定する基礎となる杭のことをいい、その形状は角柱型でも円柱型でもよい。
脚体の形状は基礎杭を挿通することができるのならば、その形状は特に限定されず、角柱型でも円柱型でもよい。
脚体の素材は特に限定されないが、特に好ましくは金属で構成する。
【００１８】
本考案の好ましい実施の形態においては、脚体に挿通した基礎杭と前記支持脚を固定するための固定手段を備える。
固定手段としては、基礎杭と脚体を固定することができるものであるのならば特に限定されない。特に好ましくは、脚体の内外を貫通するネジ穴と該ネジ穴に対応するボルトを備え固定手段とする。かかる実施の形態においては、脚体に基礎杭を挿通した後に、ボルトをしめることで、該ボルトが脚体中の基礎杭を圧迫し、脚体と基礎杭が固定される。
【００１９】
（２）固定体
本考案における固定体は、アンカーを挿通するための挿通口を有し、脚体の下端に設けられる。
脚体の素材は特に限定されないが、特に好ましくは金属で構成する。好ましくは脚体と固定体を金属で構成し、それぞれを溶接することで固定する。
【００２０】
固定体はアンカーを挿通するための挿通口を有し、該挿通口にアンカーを挿通し、該アンカーを地面に打ち込むことで、支持脚を地面に固定することができれば、その形態は特に限定されない。
好ましくは、固定体は、脚体の中心線を鉛直線とする略平面方向に向かって、脚体の下端から延びた構造であればよく、より好ましくは挿通口が複数設けられ、複数個所をアンカーで地面に固定できる構造とする。
【００２１】
本考案の好ましい実施の形態では、固定体は脚体を周回するように設けられている。より好ましくは、固定体は脚体の中心線から放射状に延びるように設ける。
具体的には、固定体を脚体から外側に突出したフランジ形状として、複数の挿通口を所定の間隔で設けた形状とすることが好ましい。
【００２２】
また、より好ましくは、複数枚の板状部材を所定の間隔で脚体に設け、それぞれの板状部材に挿通口を設ける。かかる実施の形態においてさらに好ましくは、脚体の中心軸を鉛直線とする水平面に対して設定されたリード角を有するように板状部材を設ける。
かかる実施の形態においては、鉛直方向上向きの力によって支持脚が地盤から抜けにくくなる。
この場合、前記リード角は、アンカーを打ち込むことによって支持脚を地面に固定することができ、かつ、鉛直方向上向きの力へ対抗できるものであればよい。
【００２３】
＜２＞構造物
本考案は、支持脚を２本以上備え、前記２以上の支持脚が梁部材によって互いに連結されていることを特徴とする構造物にも関する。
ここで本考案における構造物とは、２本以上の支持脚（柱、ポール等）によって支えられるものであって、具体的には野菜の支柱、藤棚、鳥害ネット、農業ネット、農業ハウス等の農業用の構造物、ガーデニング等の園芸構造物、住宅フェンス等の軽荷重用の建築土木構造物、バレーボールやテニス、バトミントン等のネット、太陽電池モジュールを支持する架台等が好ましく挙げられる。
【００２４】
特に本考案を太陽電池モジュールの架台として実施する場合には、メリットが大きい。
近年、わずかな面積の耕作放棄地等の遊休地を利用して小規模な太陽光発電を行う試みがなされている。この場合、太陽電池モジュールを設置する架台を地面に固定する必要がある。従来、架台の設置に際しては、コンクリート等で基礎を固めて支持脚を設置する方法があるが、この方法は煩雑でコストがかかる。そのため、小規模の面積で発電を行う場合には設置コストによる支出が発電による収入を上回ることがあり、妥当な方法であるとは言えない。
一方、架台の支持脚をそのまま基礎杭として地面に打ち込む方法があるが、コストはかからないものの、打ち込む深さがその地盤の固さに依存するため、架台を設定した高さに設定することが困難であるとの問題がある。
本考案によれば、基礎杭をどのような深さまで打ち込んだとしても、支持脚は地面から出ている基礎杭に被せて用いるため、架台の高さは常に設定値に揃えることができる。
そして、設置コストが安価であるため、発電による収入によって容易に設置費用を回収することができる。つまり、本考案の構造物は再生利用エネルギーの利用拡大に寄与する。
【００２５】
また、本考案の構造物を営農型発電設備における太陽光モジュールの架台として実施する場合には特にメリットが大きい。
本考案を構成する支持脚は、営農型発電設備における支柱の要件である「簡易な構造で容易に撤去できる支柱」に該当する。
また、本考案の構造物は、その高さを自由に設定することができるため、上部の太陽光パネルの下で、農作業者が不自由なく営農を行うことができる高さを有する営農型発電設備を提供することができる。
【００２６】
さらに、本考案の構造物を農業用の構造物として実施する際にもメリットが大きい。
本考案の構造物を利用した鳥害ネット、農業ハウス等の農業用の構造物は、農作業者が不自由なく作業を行える高さに容易に設定することができる。
【００２７】
本考案において梁部材とは、複数の支持脚の橋渡しをする部材のことをいう。
梁部材の素材は特には限定されないが、脚体が金属製の場合には梁部材も金属製とし、溶接することによってお互いを固定することが好ましい。
【００２８】
梁部材は２本の支持脚に対して１本とは限らず、２本以上設けても良い。
また、支持脚に対して梁部材が直交である必要は無い。
例えば、２本の支持脚を、Ｘ字型に交差した２本の梁部材でそれぞれ結合しても良い。
【００２９】
本考案の構造物において複数の支持脚の設定高さは同一である必要はなく、構造物の形状に合わせて適宜設定することができる。
【実施例】
【００３０】
（実施例１）
実施例１の本考案の支持脚を図１及び２を参照しながら説明する。
実施例１の支持脚は角柱状の脚体１０と、脚体１０の４つの側面から放射状に延びた４枚の板状部材２０を備える（図１）。
脚体１０は、下端に開口部１２を有する筒状の構造をとり、基礎杭３を開口部１２から挿通することができる（図１、２）。
また、脚体１０は側面にネジ穴１１２と、ネジ穴１１２に対応するボルト１１１を備えている。脚体１０に基礎杭３を挿通した後に、ボルト１１１を絞めることで、脚体１０と基礎杭３を固定することができる（図２）。
【００３１】
板状部材２０にはアンカー４を挿通するための挿通口２２が設けられている。
板状部材２０は、脚体１０の中心軸を鉛直線とする水平面に対してリード角を有するように脚体１０に設けられている。
また、板状部材２０は脚体１０の側面に対して直角に設けられている。
脚体１０と板状部材２０は共に金属で構成されており、板状部材２０は脚体１０に溶接によって固定されている。
【００３２】
次に、実施例１の支持脚の使用方法について説明する。
まず、基礎杭３を地面に打ち込む。基礎杭３を打ち込む深さは地盤の固さによって適宜変更する。すなわち、軟弱な地盤の際には深く打ち込むようにする。
次に基礎杭３を脚体１０の開口部１２から入れ、脚体１０に基礎杭３を挿通させる。
その後、板状部材２０の挿通口２２からアンカー４を差し込み、アンカー４を地面に打ち込み、板状部材２０を地面に固定する。
そして、ボルト１１１を絞めることで、基礎杭３と脚体１０を固定する。
なお、図１においては円柱状の基礎杭３を表すが、基礎杭の形状は角柱でも良い。
【００３３】
このように地面に設置した実施例１の支持脚は、基礎杭３と４本のアンカー４によって地面に固定されていることになり、非常に強固に地面に固定されている。
また、板状部材２０がリード角を有しているため、４本のアンカー４がそれぞれ別々の方向に斜めに地面に打ち込まれている。そのため、実施例１の支持脚は、一方向の力によっては簡単に地面から抜けにくい構造となっている。
【００３４】
（実施例２）
実施例２の本考案の支持脚の構成は実施例１の支持脚の構成とほぼ同一である。
しかし、実施例１の支持脚において板状部材２０は脚体１０の側面に対して直角に設けられているのに対して、実施例２の支持脚においては、板状部材２０は下方に傾斜するように角度をもって脚体１０の側面に取り付けられている（図４参照）。
実施例２の支持脚においては、挿通口２２を通して打ち込んだアンカー４が脚体１０の中心線とねじれの関係にある直線に沿って地面に打ち込まれる（図４参照）。
そのため、実施例２の支持脚は地面により強力に固定され、風や振動によって簡単に地面から抜けにくい構造となっている。
【００３５】
（実施例３）
実施例３の支持脚について図５を参照に説明する。
実施例３の支持脚は、円柱状の脚体１０と、固定体としてフランジ部２１を有している。
脚体１０の側面は固定手段としてネジ穴１１２とボルト１１１をそれぞれ２つずつ備えている。
フランジ部２１には、脚体１０を周回するように一定の間隔で挿通口２２が設けられている。
上に記載した構成以外は実施例３の支持脚は実施例１の支持脚と同様である。
【００３６】
（実施例４）
実施例４は、実施例２の支持脚１０を２本有し、それぞれの支持脚１０が梁部材６によって互いに連結されている架台である。
梁部材６は脚体１０と同じ金属製であり、互いに溶接によって連結されている。
【００３７】
次に実施例４の架台の設置方法について説明する。
まず、実施例４の架台における２本の脚体１０の間隔と同間隔で２本の基礎杭３を地面に打ち込む。この時、２本の基礎杭はそれぞれ同じ深さに打ち込む必要は無い。それぞれの基礎杭３を打ち込む地点の地盤の固さによって打ち込む深さを適宜変更すればよい。
次に基礎杭３を脚体１０の開口部１２から入れ、２本の脚体１０それぞれに基礎杭３を挿通させる。
その後、板状部材２０の挿通口２２からアンカー４を差し込み、アンカー４を地面に打ち込み、板状部材２０を地面に固定する。
そして、ボルト１１１を絞めることで、基礎杭３と脚体１０を固定する。
【００３８】
実施例１の支持脚によって地面に固定された実施例３の架台は、非常に強く地面に固定されている。そのため、実施例３の架台に風の影響を受けやすいような太陽電池モジュールを設置したとしても、支持脚と地面の固定が緩んだりしにくい。
すなわち、本考案は非常に安定した架台を提供することができる。
【００３９】
また、実施例４の架台は上述したように、地盤の固さにその高さが依存することは無く、常に設定値の高さをもって設置することができる。
【産業上の利用可能性】
【００４０】
本考案は支持脚と該支持脚を用いた構造物の設置に応用することができる。特に農地に設置する太陽光モジュールの架台、農業用の構造物として広く応用することができる。
【符号の説明】
【００４１】
１０  脚体
１１１  ボルト
１１２  ネジ穴
１２  開口部
２０  板状部材（固定体）
２１  フランジ部（固定体）
２２  挿通口
３  基礎杭
４  アンカー
５  地面
６  梁部材
【図１】
0003192051.tif 000003
【図２】
0003192051.tif 000004
【図３】
0003192051.tif 000005
【図４】
0003192051.tif 000006
【図５】
0003192051.tif 000007
【図６】
0003192051.tif 000008